(57)【要約】【課題】装置本体を単純形状で、必要以上に大きくならないようにした送風式薬剤放散装置とする。【解決手段】薬剤保持体収容部２と第１通気部３、第２通気部４と送風機取付部５を有する装置本体１と、その薬剤保持体収容部２内に収容した薬剤保持体６と、前記送風機取付部５に取付けられ外面よりも突出した送風機７を備え、その送風機７を駆動することで第１・第２通気部３，４に空気が流通して薬剤保持体６が保持している薬剤を気中に放散するようにした送風式薬剤放散装置。【選択図】図２
2005192500.tif 000002
【特許請求の範囲】
【請求項１】
内部に薬剤保持体収容部２のみを有し、内外に空気が流通する装置本体１と、この装置本体１内に収容した薬剤保持体６と、前記装置本体１に、その外面よりも突出して取付けられた送風機７を備え、その送風機７を駆動することで薬剤保持体６に空気が流通するようにしたことを特徴とする送風式薬剤放散装置。
【請求項２】
内部に薬剤保持体収容部２のみを有し、その薬剤保持体収容部２を外部に開口する第１通気部３、第２通気部４及び送風機取付部５を有した装置本体１と、
前記薬剤保持体収容部２内に収容した、薬剤を保持した薬剤保持体６と、
前記送風機取付部５に取付けられ、前記装置本体１の外面から突出した送風機７を備え、
前記送風機７を駆動することで第１通気部３と第２通気部４に空気が流通するようにした送風式薬剤放散装置。
【請求項３】
装置本体１における第２通気部４の周縁部分に送風機取付部５が設けてあり、
送風機７のケーシング２０における吸込口２３の周縁部分に、取付部を設け、この取付部を前記送風機取付部５に取付けると吸込口２３と第２通気部４が連通するようにした請求項２記載の送風式薬剤放散装置。
【請求項４】
内部に薬剤保持体収容部２のみを有し、内外に空気が流通する装置本体１と、この装置本体１内に収容した薬剤保持体６と、前記装置本体１に、その外面よりも突出して取付けられた複数の送風機７を備え、その各送風機７を駆動することで薬剤保持体６を流通した空気が各送風機７からそれぞれ吐出されるようにしたことを特徴とする送風式薬剤放散装置。
【発明の詳細な説明】
【技術分野】
【０００１】
本発明は、芳香剤、消臭剤、除菌剤、害虫忌避剤などの薬剤を気中に放散する送風式薬剤放散装置に関する。
【背景技術】
【０００２】
特許文献１に開示された送風式薬剤放散装置が知られている。
この送風式薬剤放散装置は、装置本体内に、薬剤を保持した薬剤保持体と送風機をそれぞれ設け、その送風機を駆動することで薬剤保持体に空気を流通させ、その空気とともに薬剤を気中に放散する形態である。
【０００３】
【特許文献１】特許公開２００２−２９１３９２号公報
【発明の開示】
【発明が解決しようとする課題】
【０００４】
前述した従来の送風式薬剤放散装置は、装置本体内に薬剤保持体と送風機を設け、その送風機を駆動することで薬剤保持体に空気を流通する形態であるから、その装置本体は、その内部に、薬剤保持体を収容する部分と送風機を収容する部分と気流流路の部分を備えた複雑な形状である。
このために、装置本体を樹脂などを用いて成型する場合に、この金型費用が高く、製作コストが高い。
【０００５】
また、使用する薬剤の量の増加に伴い、薬剤保持体が大型化し、送風機も大型化するので、装置本体が大きくなると共に、重量大となる。
このために、持ち運びや取付けが大変で、更に、広い取付け面が必要になったり、天井や壁面に取付けしづらい等の不便さが生じてくる。
【０００６】
また、薬剤の使用量の増加に伴い、薬剤保持体が大型化した場合に、この薬剤保持体と送風機の大きさに相違を生じ、いずれか一方の収容部分に無駄なスペースが生じることになる。
このために、装置本体が必要以上に大きくなってしまうことがある。
【０００７】
本発明は、前述の課題に鑑みなされたものであって、その目的は、装置本体を単純な形状にでき、使用する薬剤の量の増加に伴い薬剤保持体が大型化しても装置本体が著しく大きく、重量大になることがないし、必要以上に装置本体が大きくなることがないようにした送風式薬剤放散装置を提供することである。
【課題を解決するための手段】
【０００８】
第１の発明は、内部に薬剤保持体収容部２のみを有し、内外に空気が流通する装置本体１と、この装置本体１内に収容した薬剤保持体６と、前記装置本体１に、その外面よりも突出して取付けられた送風機７を備え、その送風機７を駆動することで薬剤保持体６に空気が流通するようにしたことを特徴とする送風式薬剤放散装置である。
【０００９】
第２の発明は、内部に薬剤保持体収容部２のみを有し、その薬剤保持体収容部２を外部に開口する第１通気部３、第２通気部４及び送風機取付部５を有した装置本体１と、
前記薬剤保持体収容部２内に収容した、薬剤を保持した薬剤保持体６と、
前記送風機取付部５に取付けられ、前記装置本体１の外面から突出した送風機７を備え、
前記送風機７を駆動することで第１通気部３と第２通気部４に空気が流通するようにした送風式薬剤放散装置である。
【００１０】
第３の発明は、第２の発明において装置本体１における第２通気部４の周縁部分に送風機取付部５が設けてあり、
送風機７のケーシング２０における吸込口２３の周縁部分に、取付部を設け、この取付部を前記送風機取付部５に取付けると吸込口２３と第２通気部４が連通するようにした送風式薬剤放散装置である。
【００１１】
第４の発明は、内部に薬剤保持体収容部２のみを有し、内外に空気が流通する装置本体１と、この装置本体１内に収容した薬剤保持体６と、前記装置本体１に、その外面よりも突出して取付けられた複数の送風機７を備え、その各送風機７を駆動することで薬剤保持体６を流通した空気が各送風機７からそれぞれ吐出されるようにしたことを特徴とする送風式薬剤放散装置である。
【発明の効果】
【００１２】
請求項１に係る発明によれば、装置本体１は、その内部に薬剤保持体収容部２のみを有する形態で、送風機７は装置本体１の外面よりも突出しているから、装置本体１を単純な形状にできる。
また、使用する薬剤の量の増加に伴い薬剤保持体６が大型化した場合には、それに伴う送風機の大型化に関係なしに薬剤保持体６分だけ装置本体１を大きくすれば良く、装置本体１が著しく大きく、重量大になることがない。
しかも、装置本体１は、薬剤保持体６の大きさに見合う分だけ大きくすれば良く、余分なスペースが生じることがないから、必要以上に装置本体１が大きくなることがない。
【００１３】
請求項２に係る発明によれば、請求項１に係る発明と同様の効果を奏する。
【００１４】
請求項３に係る発明によれば、ケーシング２０の取付部を装置本体１の送風機取付部５に取付けることで、ケーシング２０の吸込口２３と装置本体１の第２通気部４が連通するから、その送風機７の取付けが容易である。
【００１５】
請求項４に係る発明によれば、請求項１に係る発明と同様の効果を奏する。
また、複数の方向に薬剤を放散できる。
【発明を実施するための最良の形態】
【００１６】
図１と図２に示すように、装置本体１は、その内部には薬剤保持体収容部２のみを有し、内外に空気が流通する形態、例えばその薬剤保持体収容部２を外部に開口する第１通気部３、第２通気部４を有する形態で、この装置本体１は送風機取付部５を有している。
前記装置本体１の薬剤保持体収容部２内に薬剤を保持した薬剤保持体６が設けてある。
前記送風機取付部５に送風機７が、装置本体１の外面よりも突出して取付けてある。この送風機７を駆動することで、前記第１通気部３と第２通気部４に空気が流通する。
【００１７】
このようであるから、装置本体１は内部に薬剤保持体収容部２のみを有する単純な形状である。
また、使用する薬剤の量の増加に伴い薬剤保持体２が大きくなっても送風機７は大きくする必要がなく、装置本体１が著しく大きく、重量大となることがないし、装置本体１内に余分なスペースが生じることがなく、必要以上に大きくなることがない。
【００１８】
次に、具体形状の一例を説明する。
前記装置本体１は、基板１０に有底の筒体１１を着脱自在に取付け、その筒体１１の外周面１１ａにスリット状の第１通気孔１２を複数形成して第１通気部３とし、筒体１１の底面１１ｂに円形の第２通気孔１３を形成して第２通気部４としてある。
例えば、基板１０のリング状溝１０ａに筒体１１を嵌合して取付ける。
前記基板１０と第２通気孔１３に亘って穴付きのパイプ１４を取付けて環状の薬剤保持体収容部２を構成している。
前記筒体１１の底面１１ｂにおける第２通気孔１３の周縁部分外面に複数の鉤片１５を設けて送風機取付部５としている。
前記基板１０には取付用穴１６が形成され、この取付用穴１６からねじ１７を壁や天井に螺合して取付ける。
【００１９】
前記送風機７は、ケーシング２０内にファン２１とモータ２２を設け、そのモータ２２でファン２１を回転すると吸込口２３から空気を吸い込み、吐出口２４から吐出する。
前記ケーシング２０の吸込口２３の周縁部分に取付部、例えば複数の鉤片２５を設け、この鉤片２５は前記鉤片１５に係脱自在である。具体的には図３に示すように、底壁１１ｂに設けた鉤片１５は中心から外周に向けて鉤形状で、ケーシング２０に設けた鉤片２５は外周から中心に向けて鉤形状で、かつ受片２５ａを有し、ケーシング２０を鉤片１５に接して所定角度回転すると鉤片２５と鉤片１５が係合し、かつ受片２５ａが鉤片１５に当接してストッパの役目を果たす。この鉤片１５と鉤片２５は３個であるが、２個でも良いし、４個以上でも良い。
前記ケーシング２０には電池収容室２６が形成され、電池２７が着脱自在に取付けてある。
【００２０】
このようであるから、鉤片２５を鉤片１５に係脱することで装置本体１に送風機７を取付け、取り外しできる。
送風機７を取付けると、吸込口２３と第２通気孔１３が連通する。
送風機７を駆動（ファン２１を回転）すると、図２に矢印で示すように第１通気孔１２から空気が薬剤保持体収容部２内に流入し、その空気は、穴付きのパイプ１４、第２通気孔１３、吸込口２３を通って吐出口２４から気中に吐出される。
なお、送風機７によって第２通気孔１３に空気を吹き込み、その空気をパイプ１４、薬剤保持体収容部２を通して第１通気孔１２から気中に放出するようにしても良い。
また、基板１０と筒体１１はねじ止めによって着脱自在に連結しても良い。例えば、図４に示すように基板１０の外周面と筒体１１の内周面にねじ部をそれぞれ形成し、両者を螺合して取付ける。
【００２１】
前述の実施の形態では、装置本体１を壁や天井に取付けしたが、床面等に置いて使用したり、紐などを取付けて吊り下げて使用することもできる。例えば、図５に示すように筒体１１の外周面１１ａに取付台３０の一対の脚片３１を係合して取付けて床面に置いたり、穴付きの舌片３２を設け、その舌片３２に紐を連結して吊り下げる。
【００２２】
また、装置本体１に開口部を設け、この開口部を扉で開閉自在とし、その開口部から薬剤保持体を充填するようにしても良い。
例えば、図６に示すように装置本体１を両端が閉塞した円筒の容器形状とし、その一部分に開口部３３を形成し、扉３４をヒンジ３５で開閉自在に取付ける。
【００２３】
前記装置本体１内に複数の薬剤保持体収容部２を形成し、異なる薬効の薬剤を含浸した薬剤保持体６を収容して複数の薬効を得られるようにしたり、使用する薬剤量が多い場合には大きい容積の薬剤保持体収容部２内に収容し、使用する薬剤量が少ない場合には小さな容積の薬剤保持体収容部２内に収容するようにしても良い。
例えば、図７に示すように仕切り筒体３６を設け、内周側の第１薬剤保持体収容部２−１と外周側の第２薬剤保持体収容部２−２を形成し、第１薬剤保持体収容部２−１の容積を第２薬剤保持体収容部２−２の容積より小さくする。
この場合に仕切り筒体３６を着脱自在としても良く、例えば、仕切り筒体３６を取り外して、さらに多量の薬剤保持体６を収容することもできる。
【００２４】
図８と図９に示すように、装置本体１の送風機取付部５と反対側の面に第１通気部３を形成しても良い。
例えば、基板１０に通気用の開口部３７を形成して第１通気部３とする。
前記薬剤保持体６はハニカム構造体に薬剤を含浸した形態とし、その薬剤保持体６を基板１０を外すことで筒体１１の開口部から内部に挿入、抜き出し自在としてある。
この場合には、筒体１１の底壁１１ｂをテーパー形状とし、ハニカム構造体の薬剤保持体６の一端面との間に隙間２ａを形成する。
【００２５】
また、図１０に示すように基板１０と筒体１１を一体とし、その筒体１１に蓋体３８を着脱自在に取付けて装置本体１とし、その蓋体３８に第２通気部４と送風機取付部５を設け、基板１０に第１通気部３を形成し、蓋体３８を外すことで薬剤保持体６を交換するようにしても良い。
【００２６】
この場合には、基板１０を下として床面等に置いて使用する際には、基板１０の外周寄りに複数の脚片、突起などの支持部３９を設けて基板１０と床面との間に隙間が生じるようにする必要がある。
【００２７】
前述した各実施の形態は１台の送風機を取付けしたが、複数の送風機を取付けるようにしても良い。
例えば、図１１、図１２に示すように装置本体１の両側面、例えば基板１０と筒体１１の底面１１ｂに第２通気部４と送風機取付部５をそれぞれ設ける。
このようにすれば、図１２に矢印で示すように、装置本体１の左右両側方に薬剤を放散できる。
また、送風式薬剤放散装置全体の左右方向のバランスが保たれるので、装置本体１の左右中央部に穴付きの舌片４０を設け、この舌片４０に紐４１を連結して吊り下げて使用する場合に水平姿勢とすることができる。
なお、図示は省略するが筒体１１の底壁１１ｂ又は基板１０（つまり、側面）にフックを設けて送風機７が上下方向に位置するように吊り下げて使用することもできる。
【００２８】
また、穴付きのパイプ１４で構成される装置本体１内の気流流路を、中間部を境として左右に遮断し、気流の道筋を左右２方向に規制し、左右の送風機７による気流流路がそれぞれ独立するようにしてもよい。
例えば、図１３に示すようにパイプ１４の軸方向中間部に仕切板４２を設ける。
このようにすれば、装置本体１の左右方向長さが長い、径が大きい、長くかつ径が大きい場合に、その装置本体１の中央部分の気流の流れが弱くなることを防止でき、薬剤を確実に放散できる。
なお、図１３においては筒体１１の外周面に一対の置き台４３を設け、テーブル面などに載置することで使用するようにしてある。
【００２９】
図１４に示すように、両端部が開口した筒体１１の両端部に、第２通気部４と送風機取付部５を備えた基板１０を着脱自在にそれぞれ取付けて装置本体１としても良い。
この場合には、左右の基板１０を円形ではなく図１５に示すように、載置用の直線状の面１０ｂを有すると共に、穴付きの舌片１０ｃを有する形状として、テーブル面などに載置して使用したり、吊り下げて使用したりするようにしても良い。
【００３０】
前述の実施の形態では装置本体１を左右方向（軸方向）に同一径の筒形状としたが、軸方向一端部が小径で他端部が大径のテーパー状の筒形状としても良い。
例えば、図１６に示すように、筒体１１の外周面１１ａを、その底壁１１ｂが小径で、基板１０側が大径のテーパー形状とする。
前記底壁１１ｂの第２通気部４の開口面積を小さく、基板１０の第２通気部４の開口面積を大きくすると共に、底壁１１ｂに取付ける送風機７の能力を小さく、基板１０に取付ける送風機７の能力を大きくする。
【００３１】
このようにすれば、底壁１１ｂ側の送風機７から放出される薬剤量が少なく、基板１０側の送風機７から放出される薬剤量が多くなる。
よって、庭先で使用する際に底壁１１ｂが上になるように吊り下げることで、虫が生息している地面に多量の薬剤を放散し、予備的に空間に少量の薬剤を放散できる。
また、装置本体１の底壁１ｂ寄り内部に忌避剤を実施し、基板１０寄り内部に殺虫剤を充填することで、殺虫剤を多量に放散し、忌避剤を少量だけ放散できる。
【００３２】
前述した薬剤保持体６は粒状、ハニカム形状で装置本体１内に直接充填したが、通気性の薬剤容器内に粒状、ハニカム形状などの薬剤保持体６を充填し、その薬剤容器を装置本体１内に挿入して設けても良い。
【００３３】
前述した複数の送風機７を取付けた装置本体１の第１通気部３は、筒体１１の外周面のほぼ全面に複数のスリット状の第１通気孔１２を形成したが、筒体１１の外周面のほぼ中央部分の１箇所に第１通気部３を形成し、ハニカム構造体に薬剤を含浸した、又は薬剤を含浸した粒状担持体を収容した薬剤容器等からなる薬剤保持体６を装置本体１内に挿入して設けても良い。
この場合、複数の薬剤保持体６を、第１通気部３を境目としその左右に薬剤保持体６を挿入して使用することができる。
【００３４】
例えば、図１７に示すように、第１通気部３を備えた中間筒体５０と、この両端部に着脱自在に取付けた底壁を有する第１筒体５１、第２筒体５２で装置本体１とし、その第１筒体５１の底壁５１ａと第２筒体５２の底壁５２ａは、第２通気部４と送風機取付部５をそれぞれ有する。
通気性を有する薬剤容器５３内に薬剤保持体６を充填し、その薬剤容器５３を第１・第２筒体５１，５２内に挿入し、段差部５０ａ，５０ｂに当接して位置決めして取付ける。
【００３５】
このようにすれば、左右の少なくとも２つの薬剤保持体６、又は複数の薬剤保持体６を左右に、あるいは大きさ（長さ）の異なる薬剤保持体を用いることができ、処理する薬剤量の選択使用や種類や薬効の違う薬剤の選択使用などが可能となり、同一の装置本体１でいろいろな目的・用途に使用することができる。また、装置本体１を左右が径の異なる筒体で形成することもできる。
一方、複数ではなく１つの薬剤保持体６として用いる場合、薬剤保持体６には、第１通気部３に対向する位置に通気孔を設けて使用する。また、この場合でも、装置本体１内部に径の異なる薬剤保持体６を支持する複数の支持部を設けることで複数の薬剤保持体６を用いることができる。例えば、底壁５１ａ，５２ａの内面に径の異なるリング状嵌合凹部を形成し、この嵌合凹部に薬剤容器５３を嵌合して取付ける。
【００３６】
前述した実施の形態の場合には、底壁１１ｂを有する筒体１１と基板１０で装置本体１としても良いし、その底壁１１ｂを、基板１０とともに着脱自在としても良い。
また、筒体１１と基板１０を一体とし、その外周面１１ａを径方向にて分割し、かつ着脱自在に連結して内部に薬剤容器５３を入れたり、出したりできるようにしても良い。
【００３７】
本発明において使用される薬剤としては、芳香剤、消臭剤、殺菌剤、殺ダニ剤、害虫あるいは害獣忌避剤、殺虫剤または害虫の成長制御剤、吸血行動阻止剤などで、揮散性のものが用いられる。
そして、上記薬剤で殺虫を目的として使用する場合、従来より用いられている各種揮散性殺虫剤を用いることができ、ピレスロイド系殺虫剤、カーバメート系殺虫剤、有機リン系殺虫剤等を挙げることができる。一般に安全性が高いことからピレスロイド系殺虫剤が好適に用いられる。
【００３８】
モーター２２の電源としての電池２７は、アルカリ単５電池、アルカリ単４電池、アルカリ単３電池、アルカリ単２電池、アルカリ単１電池、マンガン単５電池、マンガン単４電池、マンガン単３電池、マンガン単２電池、マンガン単１電池、角電池、リチウム電池、リチウムボタン電池等の電池を単一、もしくは複数組み合わせて用いることが例示される。
【００３９】
送風機７のファン２１としては、複数枚の傾斜羽根を駆動軸に放射状に設けたプロペラファンで送風を行う軸流式送風機、駆動軸に平行な方向に多数の羽根を円筒状に設け、駆動軸と直交する方向へ送風を行う多翼式送風機（シロッコファン）などが例示でき、音が少ない、電池で駆動が可能であることから一般家庭用としては好ましい。ただし、広い場所での使用、作業を早めるなどを要求される業務用の場合は、前記送風機に限定されず商用電源、または充填式を想定して送風機を採用することができる。
【図面の簡単な説明】
【００４０】
【図１】本発明の第１の実施の形態を示す送風機を外した状態の正面図である。
【図２】本発明の第１の実施の形態を示す送風機を取付けた状態の断面図である。
【図３】本発明の第１の実施の形態を示す装置本体と送風機の斜視図である。
【図４】基板と筒体の連結の他の例を示す断面図である。
【図５】装置本体の使用状態を示す側面図である。
【図６】装置本体に蓋を設けた例を示す側面図である。
【図７】装置本体内に複数の薬剤保持体収容部を形成した例を示す一部破断正面図である。
【図８】装置本体内の空気の流れが異なる例を示す断面図である。
【図９】図７の右側面図である。
【図１０】装置本体の他の形状を示す正面図である。
【図１１】本発明の第２の実施の形態を示す正面図である。
【図１２】本発明の第２の実施の形態を示す断面図である。
【図１３】装置本体内の気流流路を分離した例を示す断面図である。
【図１４】装置本体の他の形状を示す断面図である。
【図１５】装置本体の他の形状を示す側面図である。
【図１６】装置本体をテーパー形状とした例を示す断面図である。
【図１７】薬剤保持体の他の実施の形態を示す断面図である。
【符号の説明】
【００４１】
１…装置本体、２…薬剤保持体収容部、３…第１通気部、４…第２通気部、５…送風機取付部、６…薬剤保持体、７…送風機、１０…基板、１１…筒体、１１ａ…外周面、１１ｂ…底壁、２０…ケーシング、２１…ファン、２２…モータ、２３…吸込口、２４…吐出口、５０…中間筒体、５１…第１筒体、５２…第２筒体、５３…薬剤容器。
【図１】
2005192500.tif 000003
【図２】
2005192500.tif 000004
【図３】
2005192500.tif 000005
【図４】
2005192500.tif 000006
【図５】
2005192500.tif 000007
【図６】
2005192500.tif 000008
【図７】
2005192500.tif 000009
【図８】
2005192500.tif 000010
【図９】
2005192500.tif 000011
【図１０】
2005192500.tif 000012
【図１１】
2005192500.tif 000013
【図１２】
2005192500.tif 000014
【図１３】
2005192500.tif 000015
【図１４】
2005192500.tif 000016
【図１５】
2005192500.tif 000017
【図１６】
2005192500.tif 000018
【図１７】
2005192500.tif 000019